(57)【要約】 【課題】  飲料水容器の１００％再使用が永年にわたり出来、保冷維持並びに、賞味期限等の品質管理が出来、宴会、イベント、アウトドア等の移動利用を可能にした。【解決手段】  送受信出来るＩＣタグ付温度・レベル計測装置搭載の保冷維持装置付飲料水容器、飲料水容器蓋(２) の中央又は、中央近くに蓄冷材収納容器(４) を設置、飲料水送り出し装置(３) と送受信出来るＩＣタグ付温度・レベル計測装置も蓋の一角に各々に設け、諸装置を擁護する壁(2-2) に弁付ニップルソケット(６) を介して、ディスペンサーを取り付けられるソケット(2-8) を設置。そのソケット下部へタケノコニップル(5-3) が接続され、そのタケノコニップルからチューブ(5-4) で飲料水送り出し口装置(５) へ接続された飲料水容器。【選択図】  図１
2013154953.tif 000002
【特許請求の範囲】
【請求項１】
飲料水容器本体(1) と容器蓋(2) に付随された容器本体緑(1-1)，容器蓋(2-1）,  平リングパッキン(10), Ｏリングパッキン(11)を用いて、バンド(９) で堅固に合体、容器蓋(２) にソケット(2-5，2-6， 2-7， 2-8, 2-9) を介して飲料水送り出し装置 (３),  蓄冷材収納容器（保冷維持装置） (4) の底部に設けられた、ロット(4-2) を介して飲料水送り出し口(5) が設置され、その送り出し口(５)に付随された、タケノコ継手(5-2) にチューブ(5-4) を挿入し、その片方をタケノコニップル(5-3) に接続される。容器蓋(２) に有する諸装置（３，４，６，８）を擁護する目的、並びに、持運ぶための手提げ(2-12) を設ける為に、容器蓋(２) に円筒壁(2-2) が設けられ、その上先端に保冷容器へ挿入に用いる手提(2-3) が設けられ、それを収納出来る様にＵの字型に成った擁護壁である構造で、送受信出来るＩＣタグ付温度・レベル計測装置(８)搭載で高品質管理が出来る、保冷維持装置付飲料水容器。
【請求項２】
容器本体(１) に、容器蓋(２) を挿入するに当たり、容器本体(1)上部先端(1-2) がある内面は、上に向いて広がるテーパーに成っており、又容器蓋(２)のＯリング溝(2-11) が有る外面は、下に向かって挟まるテーパーに成っているため、蓋をする時容器上部先端と蓋下部先端との間には、ギャップＧが有り簡単に蓋が出来る。その時ギャップはＯに成り平リングパッキン(10)，Ｏリングパッキン(11)の効能により液漏しない状態が出来、 バンド(９)で堅固に維持できる。そして、容器蓋(２)を開く時に飲料水(12)の残液がＯリング(11) がある箇所で固着して蓋が開きにくい場合に、容器本体縁(1-1) に設けられたテコ挿入スペース(1-3) へテコバーを挿入しこじあけられる様に成っている一連の構造。
【請求項３】
飲料水送り出し装置(３)，ガスボンベ(3-22) から出るガスの圧力を減圧する機構(3-7，3-8，3-12，3-13)とガスの供給を遮断する機構 (3-3，3-4，3-9，3-10，3-11)と飲料水の逆流防止機構(3-15，3-16，3-17，3-18，3-19，3-20)から構成され、装置下部ブロック (3-1) ，上部ブロック（3-2) は前記した機構の支持体で有り、一連の機構を構成させる構造物である。
【請求項４】
保冷維持装置 飲料水容器蓋(２) に設置されたソケット(2-6)を介して蓄冷材収納容器(４) が取り付けられ、そのソケット上部に蓄冷材収納容器蓋(4-1) が設置されている。又、蓄冷材収納容器底部には、飲料水送り出し口装置(５) を着脱出来る装置、ロット(4-2)， スプリング(4-3)， スプリング支持座金(4-4）が設置された一連の機構で、蓄冷材収納容器(４) に入って居る蓄冷材(4-5）の冷熱が、蓄冷材収納容器(４) を介して飲料水に伝わり、保冷維持が出来る構造である。
【請求項５】
飲料水送り出し口装置(５)  円筒状の上面に菊花形状の穴(5-1)  が設けられ、又、下面は空洞で壁面に数ヶ所半丸の穴があけられ、飲料水が装置
(５) の肩以下に成った時に飲料水の通路と成る構造で、壁面中間部にはタケノコ継手(5-2）が設置されている、菊花形状穴(5-1）を介して請求項４記載のロット(4-2) の頭を通し首で止る様に成っている、そして、飲料水送り出し口装置 (５)の下面が、飲料水容器（１）の下面に当たり過ぎても、スプリング(4-3) で自動的に調節が出来、安定した状態が確保出来る、又、着脱が簡単に出来る構造。
【請求項６】
弁付ニップルソケット(６)  ソケット本体(6-1) のニップルの先端へスプリング受けフック(6-3) が設けられ、又、内部に弁座(6-2) を設置、その内部に、弁スライドガイド(6-7) が入り、スプリング受けフック(6-3) を介して弁本体(6-4) の間に、スプリング(6-8) が入り又、弁本体(6-4) にはパッキン(6-5)がついていて弁が形成され、ソケット本体(6-1) のソケット側にパッキン(6-9) がはまって一連の機構が形成された構造。
【請求項７】
請求項６に記載された弁本体(6-4) にスライドガイド(6-7）並びに円錐コマ(6-6) が設置されていて、弁本体(6-4) が作動した時にパッキン(6-5)  と弁座(6-2) との間に隙間が出来、飲料水は流れるが円錐コマ(6-6) により一度に流れない様に仕組まれた構造。
【請求項８】
ディスペンサー(７）  このディスペンサーは弁が無いのが特徴でディスペンサー本体前部(7-1) ,  後部(7-2) ， シリンダー(7-4) ， 弁開閉ロット(7-7) ， レバー(7-14) ， レバー軸(7-15) で構成され、それに伴なう部品(7-3，7-9, 7-11, 7-16, 7-18, 7-19) によって形成される。ネジ込みハンドル（7-3) は、請求項６に記載された弁付ニップルソケット（６）のソケットへ、突起 (7-5) を伴ないネジ込まれた突起(7-5) はパッキン(6-9) を強く押付けシールが出来る。ディスペンサーレバー(7-14) を前に引くとレバー軸先端(7-17) は、レバー軸先端挿入スペース(7-12) の壁を後に押し弁開閉ロット(7-7) が請求項６に記載された、弁スライドガイド(6-7) を押す機構で、スプリング受け(7-6, 7-8)、スプリング(7-9)は、弁開閉ロット(7-7) を復帰させる機構で形成された構造。
【請求項９】
送受信出来るＩＣタグ付温度・レベル計測装置(８）  センサー(8-8, 8-9, 8-11, 8-13) と基盤(8-17) 、それを保護(8-1, 8-2, 8-3) 並びに、支持体(8-5, 8-6, 8-7, 8-10, 8-12, 8-14, 8-15, 8-16) から構成されている。温度センサー(8-13) で飲料水(12) の温度を計測（温度変化でサミスターの電気抵抗が変わるのを利用）ケーブル(8-16) の芯線で基盤(8-17) へ送る。飲料水(12) の水位を金属パイプ(8-8)，撥水性絶縁被膜(8-9) （静電誘電体利用），飲料水(12)，電極(8-11)を用いて計装、電極(8-11) はケーブル(8-16) のシールドに接続基板へ、金属パイプ(8-8) の基板側から基板(8-17) に接続によって静電容量で、水位が計られる。（静電容量は、静電誘電体を鋏んだ電極の面積に比例する。この理論を応用して、静電誘電体を撥水性絶縁被膜にし、電極を飲料水と金属パイプ(8-8) にすると金属パイプは上から下までの表面積で一定値を保ち、飲料水の撥水性絶縁被膜に接している表面積で飲料水の水位に比例するから、静電容量も水位に比例する事に成り、静電容量の計測で飲料水の水位を知る事が出来る。）
計測装置基板(8-17) は計測したアナログ数値をデジタル変換し、時刻変化で記録保存並びに送信、又受信した信号で送信も出来る構造。
【発明の詳細な説明】
【技術分野】
【０００１】
本発明は、保冷維持装置並びに温度・レベル・計測装置を備え、そして、飲料水の酸化・腐敗防止を目的とした不活性ガス充填装置並びに、飲料水賞味期限の管理及び飲料水温度・レベルを記録したり、その数値を送信出来る飲料水容器及びその製造方法。
【背景技術】
【０００２】
従来の飲料水容器においては、一度開口すれば容器内へ空気が進入するため、開口した後長期間の保存が難しく、飲料水は酸化変色及び腐敗する。また、炭酸飲料水にあっては、気が抜け味が損なわれる。その為、容器の大きさに限界があり、又、回収再使用に苦慮している。
【先行技術文献】
【特許文献】
【０００３】
【特許文献１】特開平１１−２３６０９７号公報
【発明の概要】
【発明が解決しようとする課題】
【０００４】
容器の回収、再使用が１００％でき、飲用を何回に分け利用しても容器内へ空気の進入ができない方法。そして、容器の大きさに対する自由度、それに伴う飲料水の保冷維持方法。その保冷維持方法の採用により、飲料水容器内の洗浄の仕方、並びに飲料水容器の形状。
【０００５】
本発明は、容器の再使用が永年に渡り使用でき、飲料水に防腐剤を添加しなくても長期間保存が可能。又、飲料水を一度に飲用しなくても何度でも冷えた味の変わらない飲料水が飲用でき、飲料水の賞味期限管理ができる飲料水容器及び、その製造方法を提供することを目的としている。
【課題を解決するための手段】
【０００６】
上記目的を達成する為に、本発明の送受信出来る、ＩＣタグ付、温度・レベル・計測装置搭載の保冷維持装置付飲料水容器においては、飲料水の保冷維持を目的の為に、飲料水容器蓋の中央、又は、中央近くへ蓄冷材を収納する容器を設け、その容器に入っている蓄冷材によって保冷維持が出来、飲料水容器へ不活性ガスを充填させるのと、飲料水を送り出す事が同時にできる飲料水送り出し装置を飲料水容器蓋の一角へ設置。並びに飲料水の温度・レベル・計測出来る装置も設け、諸装置擁護壁の一角へ飲料水の注ぎにディスペンサーで出来る様に弁付ニップルソケットを介して取付けが出来るソケットが設けられたものである。
【０００７】
飲料水容器中央、又は、中央近くへ保冷維持装置の設置により、飲料水容器内の洗浄が非常に難しくなる為、容器を二分割の蓋付きにし、その蓋の固定をバン
ドで即座にできる仕組みになっている。
【０００８】
飲料水容器内へ炭酸飲料水を入れて使用する時に、飲料水送り出し装置により炭酸ガスを常時加圧にすると炭酸飲料水の気が強くなり過ぎるので、飲用しない時にはガスボンベからのガス供給を遮断する為に、飲料水送り出し装置の押釦を押すとフックが外れ、押釦は上に上がり、ガスの供給を遮断する事ができる。
【発明の効果】
【０００９】
本発明は、以上説明した様に構成されているので、以下に記載されるような効果を奏する。
【００１０】
飲料水容器へ送受信出来るＩＣタグ並びに、温度・飲料水水位を計測する装置を搭載及び、飲料水を保冷維持する装置、飲料水送り出し装置、飲料水注ぐディスペンサー等が付帯される事で日常生活の利用のみでなく、アウトドア並びに、宴会及び、イベント等さらに、災害時の飲料水用にも利用でき、しかも、常に不活性ガスを充填させている為、飲料水は酸化変色並びに腐敗しないので、長期にわたり利用ができ、飲料水の安全管理ができる。
【図面の簡単な説明】
【００１１】
【図１】本発明の飲料水容器  縦断面図
【図２】飲料水容器の組立手順の斜視図
【図３】１  飲料水容器本体    ２飲料水容器蓋に関する部分  縦断面図
【図４】９  バンド    9-1 締め付ハンドル部分  平面図
【図５】９  バンド    9-1 締め付ハンドル部分  正面図
【図６】３  飲料水送り出し装置  縦断面図（１）  縦断面図（２）
【図７】３  飲料水送り出し装置    3-10フック軌跡図
【図８】４  蓄冷材収納容器底部  縦断面図
【図９】4-4 スプリング受け  平面図
【図１０】５  飲料水送り出し口装置  平面図
【図１１】５  飲料水送り出し口装置  縦断面図
【図１２】5-3 タケノコニップル  縦断面図
【図１３】６  弁付ニップルソケット  左側面  縦断面図(イ)  縦断面図(ロ)                正面図(ハ)  弁コマ(6-2)  詳細平面図(ニ)
【図１４】７  ディスペンサー  平面図
【図１５】７  ディスペンサー  左側面  縦断面図
【図１６】７  ディスペンサー  正面図
【図１７】７  ディスペンサー  左側面作動時  縦断面図
【図１８】８  送受信出来るＩＣタグ付温度・レベル計測装置  平面図
【図１９】８  送受信出来るＩＣタグ付温度・レベル計測装置  縦断面図
【実施例１】
【００１２】
上記のように構成された、送受信出来るＩＣタグ付、温度・レベル・計測装置搭載の保冷維持装置付飲料水容器を、保冷設備をした事で運搬するに当たり、常に保冷が保たれていたかがＩＣタグで記録保存、送信が出来、品質管理が出来る。又、アウトドア等で利用する時は、この容器を保冷容器へ入れて使用すると、24時間くらい保冷維持ができ尚、蓄冷材にＡ材Ｂ材を混合してケミカル反応冷熱を利用すれば、蓄冷材の取替えで何日にもわたり使用する事も出来る。
【００１３】
そして、宴会等の席にてその宴会用のテーブルにこの容器を設置すれば、飲料水の温度と量の管理ができ、宴席の各お客様へサービスの提供ができる。又、イベント等の沢山の人が集まる場所でこの容器を数多く設置する事が出来る容器でもあり、容器の回収が100％できる。
【００１４】
蓄冷材収納容器 (４) へ蓄冷材(4-5) を入れると、蓄冷材収納容器本体から飲料水の熱を吸収し、蓄冷材へ熱伝導させ、容器にある飲料水を保冷維持する事ができる、保冷維持された飲用に当たり、図(14, 15, 16)に示されたディスペンサー(７) を、弁付ニップルソケット(６) へディスペンサーネジ込みハンドル(7-3) を回し装着。次に図６(イ) に示される飲料水送り出し装置のフック押釦を図６(ロ)に示す様に押し込むと、ダイアフラム作動ロット(3-8) はダイアフラム(3-12) を押しさらには、ダイアフラムロット(3-13) はチャジー弁ロット(3-24) を押しチャジー弁(3-23) が開になり、ガスボンベ内のガスはダイアフラム室へ流入し、ダイアフラムを押し上げ押釦本体内にあるスプリング(3-7) の力とバランスを計り減圧され平行を保つ。そして、飲料水容器内の圧力と平行が破られたら、ガス放出口にある弁(3-20) が開いてガスは、飲料水容器へ流入し容器内を一定の圧力に加圧する。図17に示されるディスペンサー（７）のレバー(7-14) を手前に引くと、レバー作動ピン(7-16) を介し、弁開閉ロット(7-7) を動かし弁スライドガイド(6-7)を押し弁(6-4) を開にする事ができ、飲料水容器内が加圧されているから飲料水送り出し口（５）よりチューブ(5-4) を通じディスペンサー（７）より飲料水を注ぐ事ができる。レバーの引き具合で流量の調節が計られやすい様に、弁(6-4) に円錐コマ(6-6) が仕組まれている。尚、飲料水容器内の圧力が低下すればダイアフラムを押しているスプリング(3-7) の力が勝ち、上記に記述した動作が繰り返される。
【００１５】
そして、飲料水が炭酸飲料の場合、長時間飲料水容器内の加圧をすると炭酸飲料水の気が強くなるので、飲料水送り出し装置のフック押釦を再度押して、図６(イ) に示されている状態にする事で気の強くなるのを防止できる。
【符号の説明】
【００１６】
１    飲料水容器本体              2-7   ソケット
1-1   容器本体縁                  2-8   ソケット
1-2   突起（シール用）            2-9   ソケット
1-3   テコ挿入スペース            2-10  平リングパッキン溝
２    飲料水容器蓋                2-11  Ｏリングパッキン溝
2-1   容器蓋縁                    2-12  手提げ
2-2   円筒壁（諸装置保護）        ３    飲料水送り出し装置
2-3   手提げ                      3-1   装置下部ブロック
2-4   リベット                    3-2   装置上部ブロック
2-5   ソケット                    3-3   フック押釦
2-6   ソケット                    3-4   フック押釦本体
3-5   圧力調節ネジ                5-3   タケノコニップル
3-6   スプリング支持座金          5-4   チューブ
3-7   スプリング                  ６    弁付ニップルソケット
3-8   ダイアフラム作動ロット      6-1   ソケット本体
3-9   スプリング                  6-2   弁座
3-10  フック                      6-3   スプリング受けフック
3-11  フック支持体                6-4   弁本体
3-12  ダイアフラム                6-5   パッキン
3-13  ダイアフラムロット          6-6   円錐コマ
3-14  パッキン                    6-7   スライドガイド
3-15  スプリング支持座金          6-8   スプリング
3-16  スプリング                  6-9   パッキン
3-17  ロットスライドガイド        6-10  パッキン
3-18  弁座                        ７    ディスペンサー
3-19  パッキン                    7-1   ディスペンサー本体前部
3-20  弁                          7-2   ディスペンサー本体後部
3-21  パッキン                    7-3   ネジ込みハンドル
3-22  ガスボンベ                  7-4   シリンダー
3-23  チャジー弁                  7-5   突起（シール用）
3-24  チャジー弁ロット            7-6   スプリング受け
４    蓄冷材収納容器              7-7   弁開閉ロット
4-1   蓄冷材収納容器蓋            7-8   スプリング受け
4-2   ロット                      7-9   スプリング
4-3   スプリング                  7-10  ロットピストン部
4-4   スプリング支持座金          7-11  Ｏリング
4-5   蓄冷材                      7-12  レバー軸先端挿入スペース
５    飲料水送り出し口装置        7-13  シリンダー部
5-1   菊花形状穴                  7-14  ディスペンサーレバー
5-2   タケノコ継手                7-15  レバー軸
7-16  レバー作動ピン              11    Ｏリングパッキン
7-17  レバー軸先端                12    飲料水
7-18  作動ピン押え板
7-19  キャップ
7-20  蛇口
８    送受信出来るＩＣタグ付
温度・レベル計測装置
・  装置収納蓋
・  装置収納筺蓋
・  パッキン
・  パッキン
・  ハブ
・  パッキン
・  座金
・  金属パイプ
・  撥水性絶縁被膜
・  絶縁体
・  電極
・  シール材
・  サミスター
・  コレクター筒
・  コレクター
・  ２芯シールドケブル
・  計測装置基板
９    バンド
・  締め付ハンドル
・  支点
・  締め付ハンドル固定フック
・  平リングパッキン
【図１】
2013154953.tif 000003
【図２】
2013154953.tif 000004
【図３】
2013154953.tif 000005
【図４】
2013154953.tif 000006
【図５】
2013154953.tif 000007
【図６】
2013154953.tif 000008
【図７】
2013154953.tif 000009
【図８】
2013154953.tif 000010
【図９】
2013154953.tif 000011
【図１０】
2013154953.tif 000012
【図１１】
2013154953.tif 000013
【図１２】
2013154953.tif 000014
【図１３】
2013154953.tif 000015
【図１４】
2013154953.tif 000016
【図１５】
2013154953.tif 000017
【図１６】
2013154953.tif 000018
【図１７】
2013154953.tif 000019
【図１８】
2013154953.tif 000020
【図１９】
2013154953.tif 000021